(57)【要約】情報処理装置であって、所定範囲内に存在するユーザの体動を検知する検知部と、検知部による検知結果に基づいて、ユーザが睡眠準備状態であるか否かを判断する判断部と、判断部の判断結果としてユーザが睡眠準備状態になったと判断される場合に、第１の処理を実行する処理実行部とを備える。
2020136590.tif 000002
【特許請求の範囲】
【請求項１】
所定範囲内に存在するユーザの体動を検知する検知部と、
前記検知部による検知結果に基づいて、前記ユーザが睡眠準備状態であるか否かを判断する判断部と、
前記判断部の判断結果として前記ユーザが前記睡眠準備状態になったと判断される場合に、第１の処理を実行する処理実行部とを備える、情報処理装置。
【請求項２】
前記判断部は、前記検知部による検知結果に基づいて、前記所定範囲内で前記ユーザを検知できるようになったこと、および、前記ユーザが就寝状態になったこと、のうち少なくとも一方に基づいて、前記ユーザが前記睡眠準備状態になったと判断する、請求項１に記載の情報処理装置。
【請求項３】
自装置の周辺環境の状態を取得する周辺環境取得部をさらに備え、
前記処理実行部は、前記判断部の判断結果として前記ユーザが前記睡眠準備状態になったと判断される場合に、前記周辺環境取得部により取得された前記周辺環境の状態が周辺環境条件を満たしている場合には、前記第１の処理を実行する、請求項２に記載の情報処理装置。
【請求項４】
前記周辺環境取得部は、前記周辺環境の状態として、周辺の明るさに関する情報を取得する、請求項３に記載の情報処理装置。
【請求項５】
前記周辺の明るさに関する情報は、照度の値を含む、請求項４に記載の情報処理装置。
【請求項６】
外部装置との間で通信可能に設けられた通信部をさらに備え、
前記処理実行部は、前記第１の処理として、前記通信部を介して前記外部装置から取得した翌日または翌朝の情報を音声出力する、請求項２〜５のいずれか１項に記載の情報処理装置。
【請求項７】
予め設定された時刻が到来すると報知動作を行う報知部をさらに備え、
前記翌日または翌朝の情報は、前記報知動作が実行される時刻を含む、請求項６に記載の情報処理装置。
【請求項８】
音声入力を受け付けて音声認識を実行する音声認識部をさらに備え、
前記処理実行部は、前記音声認識部による音声認識の結果に従って、前記報知動作が実行される時刻を変更する、請求項７に記載の情報処理装置。
【請求項９】
前記翌日または翌朝の情報は、翌日または翌朝の天気の情報を含む、請求項６〜８のいずれか１項に記載の情報処理装置。
【請求項１０】
前記検知部は、ドップラーセンサを含み、
前記ドップラーセンサからの出力に基づいて、前記ユーザの体動を検知する、体動検知部をさらに備える、請求項１〜９のいずれか一項に記載の情報処理装置。
【請求項１１】
前記ドップラーセンサからの出力に基づいて、前記第１の処理の後に続けて前記ユーザの睡眠状態を測定する睡眠状態測定部をさらに備える、請求項１０に記載の情報処理装置。
【請求項１２】
前記処理実行部は、ユーザの安静状態の測定に基づいて、前記ユーザが安静状態になったと判定すると、前記第１の処理の内容を調整する第２の処理を実行する、請求項１０に記載の情報処理装置。
【請求項１３】
前記処理実行部は、
前記ユーザが睡眠状態ではない場合に、前記ユーザを睡眠状態へ導くための第３の処理を実行し、
前記ユーザが睡眠状態となった場合に、前記第３の処理を停止する、請求項１２に記載の情報処理装置。
【請求項１４】
前記第３の処理は、音楽再生処理を含む、請求項１３に記載の情報処理装置。
【請求項１５】
前記第３の処理は、呼吸法または所定の運動を指示する音声案内処理を含む、請求項１３または１４に記載の情報処理装置。
【請求項１６】
前記検知部は、２４時間の全期間において前記所定範囲内に存在する前記ユーザの体動を検知する、請求項１記載の情報処理装置。
【請求項１７】
所定範囲内に存在するユーザの体動を検知するステップと、
当該検知結果に基づいて、前記ユーザが睡眠準備状態であるか否かを判断するステップと、
前記ユーザが前記睡眠準備状態になったと判断されると、第１の処理を実行するステップとを備える、情報処理方法。
【請求項１８】
ユーザの動きに応じた信号を検知するセンサを備えるコンピュータで実行される情報処理プログラムであって、前記情報処理プログラムは前記コンピュータに、
前記センサからの信号に基づいて所定範囲内に存在するユーザの体動を検知するステップと、
当該検知結果に基づいて、前記ユーザが睡眠準備状態であるか否かを判断するステップと、
前記ユーザが前記睡眠準備状態になったと判断されると、第１の処理を実行するステップとを実行させる、情報処理プログラム。
【請求項１９】
所定範囲内に存在するユーザの体動を検知する検知部と、
前記検知部による検知結果に基づいて、前記ユーザが睡眠準備状態であるか否かを判断する判断部と、
前記判断部の判断結果として前記ユーザが前記睡眠準備状態になったと判断される場合に、第１の処理を実行する処理実行部とを備える、情報処理システム。
【発明の詳細な説明】
【技術分野】
【０００１】  本開示は、ユーザの睡眠を管理する情報処理装置に関する。
【背景技術】
【０００２】  従来から、ユーザ（利用者）の体の動きに関する情報に基づいて、ユーザの睡眠状態を判定する装置が提案されている（特許文献１参照）。
【先行技術文献】
【特許文献】
【０００３】
【特許文献１】特開２０１４−１４７０８号公報
【発明の概要】
【発明が解決しようとする課題】
【０００４】  一方で、従来の装置では、ユーザの睡眠状態を判定し、判定結果に基づいて所定の処理の実行を開始するのみであり、ユーザの入眠および睡眠全体を管理していなかった。【０００５】  上記のような問題を解決するためになされたものであって、本開示の目的は、ユーザの入眠および睡眠全体を管理することが可能な情報処理装置、情報処理方法、情報処理プログラムおよび情報処理システムを提供することである。
【課題を解決するための手段】
【０００６】  ある局面に従う情報処理装置であって、所定範囲内に存在するユーザの体動を検知する検知部と、検知部による検知結果に基づいて、ユーザが睡眠準備状態であるか否かを判断する判断部と、判断部の判断結果としてユーザが睡眠準備状態になったと判断される場合に、第１の処理を実行する処理実行部とを備える。【０００７】  処理実行部は、判断部の判断結果としてユーザが睡眠準備状態になったと判断される場合には、第１の処理を実行する。したがって、ユーザの睡眠準備状態を検知して、第１の処理を実行して、睡眠に誘導することが可能であるため、ユーザの入眠および睡眠全体を管理することが可能である。【０００８】  好ましくは、判断部は、検知部による検知結果に基づいて、所定範囲内でユーザを検知できるようになったこと、および、ユーザが就寝状態になったこと、のうち少なくとも一方に基づいて、ユーザが睡眠準備状態になったと判断してもよい。【０００９】  判断部は、所定範囲内でユーザを検知あるいは、ユーザが就寝状態になったことに応じて睡眠準備状態を判定するため、ユーザの睡眠準備のユーザの状態を確実に検知するためユーザの入眠および睡眠全体を管理することが可能である。【００１０】  好ましくは、情報処理装置は、自装置の周辺環境の状態を取得する周辺環境取得部をさらに備える。処理実行部は、判断部の判断結果としてユーザが睡眠準備状態になったと判断される場合に、周辺環境取得部により取得された周辺環境の状態が周辺環境条件を満たしている場合には、第１の処理を実行する。【００１１】  周辺環境取得部により取得された周辺環境の状態が周辺環境条件を満たしている場合に、第１の処理を実行する。周辺環境条件と組み合わせることにより、ユーザの睡眠準備の状態を確実に検知することによりユーザの入眠および睡眠全体を管理することが可能である。【００１２】  好ましくは、周辺環境取得部は、周辺環境の状態として、周辺の明るさに関する情報を取得してもよい。【００１３】  周辺の明るさに関する情報を用いることにより、ユーザの睡眠準備の状態を確実に推定することが可能である。【００１４】  好ましくは、周辺の明るさに関する情報は、照度の値を含んでもよい。
照度の値を用いることによりユーザの睡眠準備の状態を容易に推定することが可能である。【００１５】  好ましくは、情報処理装置は、外部装置との間で通信可能に設けられた通信部をさらに備える。処理実行部は、第１の処理として、通信部を介して外部装置から翌日または翌朝の情報を音声出力してもよい。【００１６】  第１の処理として、翌日または翌朝の情報を取得し、取得した当該情報を音声出力する。したがって、ユーザの利便性の高い情報が出力されるためユーザの利便性に供することが可能である。【００１７】  好ましくは、情報処理装置は、予め設定された時刻が到来すると報知動作を行う報知部をさらに備える。翌日または翌朝の情報は、報知動作が実行される時刻を含む。【００１８】  第１の処理として、翌日また翌朝の報知動作の時刻が出力される。したがって、ユーザの利便性の高い情報が出力されるためユーザの利便性に供することが可能である。【００１９】  好ましくは、情報処理装置は、音声入力を受け付けて音声認識を実行する音声認識部をさらに備える。処理実行部は、音声認識部による音声認識の結果に従って、報知動作が実行される時刻を変更する。【００２０】  したがって、ユーザの音声による指示に従って、報知動作の時刻を変更することが可能であるためユーザの利便性に供することが可能である。【００２１】  好ましくは、翌日または翌朝の情報は、翌日または翌朝の天気の情報を含む。第１の処理として、翌日また翌朝の天気の情報が出力される。したがって、ユーザの利便性の高い情報が出力されるためユーザの利便性に供することが可能である。【００２２】  好ましくは、検知部は、ドップラーセンサを含む。情報処理装置は、ドップラーセンサからの出力に基づいて、ユーザの体動を検知する、体動検知部をさらに備える。【００２３】  検知部は、ユーザの体動を検知し、検知結果に基づいて睡眠準備状態であるか否か判定され、判断結果として、第１の処理が実行されるため装置を操作指示することなく第１の処理を簡易に実行することが可能である。【００２４】  好ましくは、情報処理装置は、ドップラーセンサからの出力に基づいて、第１の処理の後に続けてユーザの睡眠状態を測定する睡眠状態測定部をさらに備える。【００２５】  したがって、睡眠状態測定部は、ユーザの睡眠状態を測定するためユーザの睡眠を管理することが可能である。【００２６】  好ましくは、処理実行部は、ユーザの安静状態の測定に基づいて、ユーザが安静状態になったと判定すると、第１の処理の内容を調整する第２の処理を実行する。【００２７】  したがって、ユーザの安静状態の測定に基づいて第２の処理を実行することによりユーザの入眠および睡眠全体を管理することが可能である。【００２８】  好ましくは、処理実行部は、ユーザが睡眠状態ではない場合に、ユーザを睡眠状態へ導くための第３の処理を実行し、ユーザが睡眠状態となった場合に、第３の処理を停止する。【００２９】  したがって、第３の処理を停止することによりユーザの入眠および睡眠全体を管理することが可能である。【００３０】  好ましくは、第３の処理は、音楽再生処理を含んでも良い。
したがって、音楽再生処理を実行するためユーザの睡眠を誘導することにより入眠および睡眠全体を管理することが可能である。【００３１】  好ましくは、第３の処理は、呼吸法または所定の運動を指示する音声案内処理を含んでもよい。【００３２】  したがって、呼吸法または所定の運動を指示する音声案内処理を実行するためユーザの睡眠を誘導することにより入眠および睡眠全体を管理することが可能である。【００３３】  好ましくは、検知部は、２４時間の全期間において所定範囲内に存在するユーザの体動を検知してもよい。【００３４】  検知部は、２４時間の全期間においてユーザの体動を検知するため、ユーザの入眠および睡眠全体を管理することが可能である。【００３５】  ある局面に従う情報処理方法であって、所定範囲内に存在するユーザの体動を検知するステップと、当該検知結果に基づいて、ユーザが睡眠準備状態であるか否かを判断するステップと、ユーザが睡眠準備状態になったと判断されると、第１の処理を実行するステップとを備える。【００３６】  判断ステップとしてユーザが睡眠準備状態になったと判断される場合には、第１の処理を実行する。したがって、ユーザの睡眠準備状態を検知して、第１の処理を実行して、睡眠に誘導することが可能であるため、ユーザの入眠および睡眠全体を管理することが可能である。【００３７】  ある局面に従うユーザの動きに応じた信号を検知するセンサを備えるコンピュータで実行される情報処理プログラムであって、情報処理プログラムはコンピュータにセンサからの信号に基づいて所定範囲内に存在するユーザの体動を検知するステップと、当該検知結果に基づいて、ユーザが睡眠準備状態であるか否かを判断するステップと、ユーザが睡眠準備状態になったと判断されると、第１の処理を実行するステップとを実行させる。【００３８】  判断ステップとしてユーザが睡眠準備状態になったと判断される場合には、第１の処理を実行する。したがって、ユーザの睡眠準備状態を検知して、第１の処理を実行して、睡眠に誘導することが可能であるため、ユーザの入眠および睡眠全体を管理することが可能である。【００３９】  ある局面に従う情報処理システムであって、所定範囲内に存在するユーザの体動を検知する検知部と、検知部による検知結果に基づいて、ユーザが睡眠準備状態であるか否かを判断する判断部と、判断部の判断結果としてユーザが睡眠準備状態になったと判断される場合に、第１の処理を実行する処理実行部とを備える。【００４０】  処理実行部は、判断部の判断結果としてユーザが睡眠準備状態になったと判断される場合には、第１の処理を実行する。したがって、ユーザの睡眠準備状態を検知して、第１の処理を実行して、睡眠に誘導することが可能であるため、ユーザの入眠および睡眠全体を管理することが可能である。
【発明の効果】
【００４１】  上記によれば、本開示の情報処理装置、情報処理方法、情報処理プログラムおよび情報処理システムは、ユーザの入眠および睡眠全体を管理することが可能である。
【図面の簡単な説明】
【００４２】
【図１】実施形態に基づく睡眠管理システム１の構成の概略ブロック図である。
【図２】実施形態に基づく睡眠アラーム装置２の構成の概略ブロック図である。
【図３】実施形態に基づくサーバ６の構成の概略ブロック図である。
【図４】実施形態に基づく端末８の構成の概略ブロック図である。
【図５】実施形態に基づく睡眠アラーム装置２の利用形態について説明する概念図である。
【図６】実施形態に基づく端末８で設定されるアラーム設定画面について説明する図である。
【図７】実施形態に基づく睡眠誘導機能の開始および停止処理について説明する図である。
【図８】実施形態に基づく睡眠アラーム装置２の機能ブロック図を説明する図である。
【図９】実施形態に基づく睡眠誘導機能の処理のフローを説明する図である。
【図１０】実施形態に基づく睡眠誘導機能の開始処理のフローを説明する図である。
【図１１】実施形態に基づく別の睡眠誘導機能の開始処理のフローを説明する図である。
【図１２】実施形態に基づく睡眠誘導機能の実行処理のフローを説明する図である。
【図１３】実施形態に基づく音楽再生処理のフローを説明する図である。
【図１４】実施形態に基づくリラックス運動案内再生処理の概要を説明する図である。
【発明を実施するための形態】
【００４３】  この実施の形態について、図面を参照しながら詳細に説明する。なお、図中の同一または相当部分については、同一符号を付してその説明は繰返さない。
【００４４】  本実施形態における情報処理装置は、一例として睡眠アラーム装置として説明する。携帯型（可搬型とも言う）の装置であってもよいし、据置型の装置であってもよい。
【００４５】  ＜睡眠管理システムの構成＞
図１は、実施形態に基づく睡眠管理システム１の構成の概略ブロック図である。
【００４６】  図１に示されるように、睡眠管理システム１は、睡眠アラーム装置２と、サーバ６と、端末８とを含み、互いにネットワーク４で接続されている。
【００４７】  ネットワーク４を介して、睡眠アラーム装置２、サーバ６および端末８との間で情報の授受が可能に設けられている。ネットワーク４は、無線通信あるいは有線通信のいずれの方式を採用してもよい。
【００４８】  端末８は、携帯電話、あるいはスマートフォン等といった、携帯型（可搬型とも言う）の装置であってもよいし、パーソナルコンピュータ等といった据置型の装置であってもよい。
【００４９】  睡眠アラーム装置２は、ユーザの入眠および睡眠全体を管理する装置である。
睡眠アラーム装置２は、ユーザを目覚めさせるためのアラーム機能を有するとともに、ユーザの動きに応じた信号を非接触で検知するセンサ機能を有している。睡眠アラーム装置２は、快適な睡眠を得るために睡眠を誘導する睡眠誘導機能を有している。
【００５０】  睡眠アラーム装置２は、睡眠データを解析する睡眠解析機能も有していても良い。
睡眠アラーム装置２は、検知部による検知結果に基づいて、ユーザが睡眠準備状態であるか否かを判断し、ユーザが睡眠準備状態になったと判断される場合に、所定の処理を実行する。
【００５１】  端末８は、睡眠アラーム装置２のアラーム機能および睡眠誘導機能の設定を行うとともに、睡眠アラーム装置２あるいはサーバ６からユーザの睡眠状態の情報を取得して表示することが可能である。
【００５２】  サーバ６は、睡眠アラーム装置２で取得した睡眠データを保存する。
＜睡眠アラーム装置２の構成＞
図２は、実施形態に基づく睡眠アラーム装置２の構成の概略ブロック図である。
【００５３】  図２に示されるように、睡眠アラーム装置２は、時計２０と、ディスプレイ２１と、スピーカ２２と、メモリ２３と、通信装置２４と、ＬＥＤ２５と、照度センサ２６と、ＣＰＵ２７と、マイク２８と、入力装置２９と、ドップラーセンサ３０と、内部バス３２とを含む。各部は、内部バス３２で接続されている。
【００５４】  ＣＰＵ２７は、睡眠アラーム装置２で実行される各種の情報処理を実行するための情報処理部である。ＣＰＵ２７は、メモリ２３を用いて上記各種の情報処理を実行する。メモリ２３は、睡眠アラーム装置２において実行される各種プログラムや、ユーザの就寝時にリアルタイムに測定された睡眠に関するデータを記憶する。
【００５５】  メモリ２３は、睡眠アラーム装置２に内蔵される記憶部である場合について説明するが、例えば光ディスクやカートリッジ等の、睡眠アラーム装置２に着脱可能な記憶媒体であってもよいし、これらの記憶部および記憶媒体の両方であってもよい。
【００５６】  ＣＰＵ２７は、メモリ２３に格納されているプログラムに基づいて各種機能ブロックを実現する。
【００５７】  時計２０は、時刻を計時する機能を有する。
ディスプレイ２１は、時刻等の情報を表示する。
【００５８】  スピーカ２２は、報知音としてアラーム音を出力する。
通信装置２４は、ネットワーク４を介して外部の装置（サーバ６および端末８）と通信するためのインターフェースである。
【００５９】  ＬＥＤ２５は、指示に従って点灯し、睡眠アラーム装置２の周囲を明るくする。
マイク２８は、外部からの音声入力を受け付ける。
【００６０】  入力装置２９は、各種の操作ボタンを有する。
ドップラーセンサ３０は、電波（マイクロ波）を被対象物に照射して、被対象物（ユーザ）の動きに応じた信号（反射波）を非接触で検知する。
【００６１】  照度センサ２６は、周辺環境の情報として部屋の照度値を検出する。
睡眠アラーム装置２においては、ドップラーセンサ３０から発したマイクロ波がユーザの呼吸による微小な動きにより変化した反射波を検出することで得られる情報を元に、ユーザの睡眠状態を例えば「深い睡眠」「浅い睡眠」「レム睡眠」「覚醒」の４種類のいずれかとして判定することが可能である。具体的な判定処理の方法については、例えば前述の特許文献１に記載されているような公知の技術を用いることができる。なお、睡眠状態の判定においては、心拍による微小な動きに関する情報も考慮してもよい。
【００６２】  上述の呼吸による動きを検出したことに基づいて、ドップラーセンサ３０の観測範囲に生体が存在しているかどうかの確からしさを算出することが可能である。これにより、例えばユーザがベッド上の観測領域内にいるかどうかを判定することができる。
【００６３】  また、睡眠アラーム装置２は、ドップラーセンサ３０を用いた公知の技術により、寝返りや手を振る動作のように、比較的大きい体動も検出することも可能である。上述の呼吸や心拍による微小な動きとは、例えば照射波と反射波の変化量や、周期性により区別することが可能である。
【００６４】  なお、寝返りや手を振る動作のように比較的大きいユーザの動きを「体動」と呼び、呼吸や心拍等の微小な動きと合わせて「動き」と呼ぶことがある。  ＜サーバ６の構成＞
図３は、実施形態に基づくサーバ６の構成の概略ブロック図である。
【００６５】  図３に示されるように、サーバ６は、ＣＰＵ６０と、メモリ６２と、通信装置６４と、内部バス６６とを含む。各部は、内部バス６６で接続されている。
【００６６】  ＣＰＵ６０は、サーバ６で実行される各種の情報処理を実行するための情報処理部である。ＣＰＵ６０は、メモリ６２を用いて各種の情報処理を実行する。
【００６７】  メモリ６２は、サーバ６に内蔵される記憶部である場合について説明するが、例えば光ディスクやカートリッジ等の、サーバ６に着脱可能な記憶媒体であってもよいし、これらの記憶部および記憶媒体の両方であってもよい。
【００６８】  通信装置６４は、ネットワーク４を介して外部の装置（睡眠アラーム装置２および端末８）と通信するためのインターフェースである。
【００６９】  ＜端末８の構成＞
図４は、実施形態に基づく端末８の構成の概略ブロック図である。
【００７０】  図４に示されるように、端末８は、ＣＰＵ８０と、ディスプレイ８２と、通信装置８４と、メモリ８６と、入力装置８８と、内部バス８９とを含む。各部は、内部バス８９で接続されている。
【００７１】  ＣＰＵ８０は、端末８で実行される各種の情報処理を実行するための情報処理部である。ＣＰＵ８０は、メモリ８６を用いて各種の情報処理を実行する。
【００７２】  入力装置８８は、タッチパネルを含む。
通信装置８４は、ネットワーク４を介して外部の装置（睡眠アラーム装置２およびサーバ６）と通信するためのインターフェースである。
【００７３】  メモリ８６は、端末８に内蔵される記憶部である場合について説明するが、例えば光ディスクやカートリッジ等の、端末８に着脱可能な記憶媒体であってもよいし、これらの記憶部および記憶媒体の両方であってもよい。
【００７４】  ＜睡眠アラーム装置２の利用形態＞
図５は、実施形態に基づく睡眠アラーム装置２の利用形態について説明する概念図である。
【００７５】  図５に示されるように、睡眠アラーム装置２は、ユーザのベッドＢＤ等に隣接して配置される。
【００７６】  睡眠アラーム装置２は、ドップラーセンサ３０からユーザに対して照射される電波の反射波を計測する。反射波に基づいてユーザの状態を観測する。また、睡眠アラーム装置２の観測領域は、ベッドＢＤにおいて、ユーザが就寝する所定領域（所定範囲）に対応している。
【００７７】  睡眠アラーム装置２は、アラーム機能とともに睡眠誘導機能を有する。本例においては、睡眠アラーム装置２は、睡眠準備状態であると判断した場合に、所定の処理を実行する。例えば、睡眠誘導情報を出力する。ディスプレイ２１には、一例として時計２０が計時する現在時刻として「ＰＭ１２：００」（午前０時）が表示されている。
【００７８】  ＜アラーム設定画面＞
図６は、実施形態に基づく端末８で設定されるアラーム設定画面について説明する図である。
【００７９】  図６には、端末８のディスプレイ８２に表示されたアラーム設定画面２００が示されている。端末８のディスプレイ８２には入力装置８８としてタッチパネルが設けられており、タッチパネルを介して、睡眠アラーム装置２のアラーム機能の設定処理が可能である。なお、タッチパネルに限られずキーボード等を用いて設定処理を実行することも可能である。
【００８０】  アラーム設定画面２００には、アラーム機能のオンオフ切替ボタン２０２と、起床設定時刻入力フィールド２０４と、睡眠誘導機能のオンオフ切替ボタン２０６と、お知らせ機能のオンオフ切替ボタン２０８と、音楽再生機能のオンオフ切替ボタン２１０と、リラックス運動案内機能のオンオフ切替ボタン２１２と、登録ボタン２１４と、キャンセルボタン２１６とが設けられている。
【００８１】  アラーム機能のオンオフ切替ボタン２０２は、アラーム機能のオンあるいはオフを切り替えるボタンである。アラーム機能がオンの場合には、報知動作が実行される。一方、アラーム機能がオフの場合には、所定の報知動作は実行されない。本例においては、一例として、アラーム機能が「オン」に設定されている場合が示されている。なお、アラーム機能が「オフ」に設定されている場合には、各切替あるいは選択ボタン等は無効状態に設定される。
【００８２】  起床設定時刻入力フィールド２０４は、ユーザが起床設定時刻を入力するフィールドである。本例においては、一例として、起床設定時刻入力フィールド２０４に「０７：００」が設定されている場合が示されている。
【００８３】  睡眠誘導機能のオンオフ切替ボタン２０８は、睡眠状態に導く機能のオンオフを設定するボタンである。睡眠誘導機能がオンの場合には、睡眠状態に誘導するための所定の処理が実行される。一方、睡眠誘導機能がオフの場合には、所定の処理は実行されない。本例においては、一例として、睡眠誘導機能が「オン」に設定されている場合が示されている。
【００８４】  お知らせ機能のオンオフ切替ボタン２１０は、ユーザが必要とする情報を通知する機能のオンあるいはオフを切り替えるボタンである。お知らせ機能がオンの場合には、情報通知処理が実行される。一方、お知らせ機能がオフの場合には、情報通知処理は実行されない。本例においては、一例として、お知らせ機能が「オン」に設定されている場合が示されている。具体的には、ユーザが必要とする情報として、ユーザが設定したアラームの設定時刻の情報、翌日あるいは翌朝の天気の情報等を含む。
【００８５】  音楽再生機能のオンオフ切替ボタン２１０は、音楽再生の機能のオンオフを設定するボタンである。音楽再生機能がオンの場合には、音楽再生処理が実行される。一方、音楽再生機能がオフの場合には、音楽再生処理は実行されない。本例においては、一例として、音楽再生機能が「オン」に設定されている場合が示されている。
【００８６】  リラックス運動案内機能のオンオフ切替ボタン２１２は、リラックス運動を案内する機能のオンオフを設定するボタンである。リラックス運動案内機能がオンの場合には、リラックス運動を案内する運動案内処理が実行される。一方、リラックス運動案内機能がオフの場合には、運動案内処理は実行されない。本例においては、一例として、リラックス運動案内機能が「オフ」に設定されている場合が示されている。なお、音楽再生機能とリラックス運動案内機能とは並列に動作しないため、音楽再生機能が「オン」の場合には、リラックス運動案内機能は「オフ」に設定される。
【００８７】  登録ボタン２１４は、アラーム設定画面２００で設定された設定情報を睡眠アラーム装置２に登録する登録処理を実行するためのボタンである。
【００８８】  キャンセルボタン２１６は、アラーム設定画面２００で設定された設定情報を睡眠アラーム装置２に登録する登録処理をキャンセルするためのボタンである。
【００８９】  端末８は、ディスプレイ８２に表示されたアラーム設定画面２００の登録ボタン２１４が選択された場合に、アラーム設定画面１００で設定された各種の設定情報（以下、単に「設定情報」とも称する）をネットワーク４を介して睡眠アラーム装置２に送信する。
【００９０】  睡眠アラーム装置２は、端末８から送信された設定情報を受信して、メモリ２３に格納する。睡眠アラーム装置２は、メモリ２３に格納された設定情報に基づくアラーム機能等を実行する。
【００９１】  端末８は、ディスプレイ８２に表示されたアラーム設定画面２００のキャンセルボタン２１６が選択された場合に、アラーム設定画面２００を非表示にして設定情報の登録処理を終了する。
【００９２】  なお、本例においては、端末８においてアラーム機能の設定処理を実行する場合について説明したが、これに限られず睡眠アラーム装置２の入力装置２９を用いて同様の設定処理を実行することも可能である。
【００９３】  図７は、実施形態に基づく睡眠誘導機能の開始および停止処理について説明する図である。
【００９４】  図７に示されるように、睡眠アラーム装置２は、ドップラーセンサ３０を用いてユーザの体動を検知する。睡眠アラーム装置２は、ドップラーセンサ３０の検知結果に基づいて睡眠準備状態であるか否かを判断し、睡眠準備状態であると判断した場合に、睡眠誘導機能を開始する。睡眠アラーム装置２は、ドップラーセンサ３０の検知結果に基づいて睡眠状態であるか否かを判断し、睡眠状態であると判断した場合に、睡眠誘導機能を終了（停止）する。
【００９５】  睡眠準備状態であると判定する条件の一例として、本例においては所定範囲内（例えばベッド）でユーザを検知できるようになったこと、および、ユーザが就寝状態になったことのうち少なくとも一方に基づいて、ユーザが睡眠準備状態になったと判定して睡眠誘導機能の実行を開始する。
【００９６】  図８は、実施形態に基づく睡眠アラーム装置２の機能ブロック図を説明する図である。
図８を参照して、睡眠アラーム装置２のＣＰＵ２７は、各種の機能ブロックを実現する。
【００９７】  具体的には、ＣＰＵ２７は、メモリ２３に格納されているプログラムに基づいて複数の機能ブロックを実現する。本例においては、ＣＰＵ２７は、存在／不在判定部２７１と、睡眠状態判定部２７２と、就寝状態判定部２７３と、体動検知部２７４と、表示制御部２７５と、睡眠準備状態判定部２７６と、安静状態判定部２７７と、睡眠誘導機能制御部２７８と、睡眠誘導機能実行判定部２８０と、音声認識部２８２と、情報取得部２８４と、報知制御部２８６とを含む。
【００９８】  睡眠誘導機能実行判定部２８０は、睡眠アラーム装置２の睡眠誘導機能の実行可否を判定する。睡眠誘導機能実行判定部２８０は、睡眠アラーム装置２の睡眠誘導機能を実行すると判定した場合に睡眠誘導機能制御部２７８に指示して睡眠誘導機能の開始動作を実行する。
【００９９】  存在／不在判定部２７１は、ドップラーセンサ３０の検出信号に基づいてユーザが観測領域に対応する所定領域（所定範囲）に存在しているか、不在（存在していない）か否かを判定する。本例においては、一例としてユーザがベッドに存在しているか、不在（存在していない）かを判定する。
【０１００】  睡眠状態判定部２７２は、ドップラーセンサ３０の検出信号に基づいてユーザの睡眠状態をリアルタイムに判定する。具体的には、睡眠状態判定部２７２は、ドップラーセンサ３０の検出信号に基づいてユーザの睡眠状態として、深い睡眠状態、浅い睡眠状態、レム睡眠状態、覚醒状態を判定する。
【０１０１】  就寝状態判定部２７３は、体動検知部２７４で算出された体動量に基づいて就寝状態か否かを判定する。具体的には、ドップラーセンサによりユーザの存在が検出されている状態で、所定期間の体動量が所定量以下となった場合に就寝状態と判定する。なお、就寝状態と判定する方法はこれに限られず他の手法を用いることも当然に可能である。就寝状態とは、ユーザが覚醒した状態でベッドにいる状態を含むものとする。
【０１０２】  体動検知部２７４は、ドップラーセンサ３０の検出信号に基づいてユーザの体動量を算出する。
【０１０３】  報知制御部２８６は、スピーカ２２によるアラーム報知（報知動作）を制御する。具体的には、一例として報知制御部２８６は、メモリ２３に格納されている設定情報の起床設定時刻を取得して、報知条件を満たした場合にはスピーカ２２により当該起床設定時刻にアラーム報知（報知動作）を実行する。
【０１０４】  表示制御部２７５は、ディスプレイ２１の表示を制御する。
睡眠準備状態判定部２７６は、存在／不在判定部２７１の判定結果と、就寝状態判定部２７３の判定結果とに基づいて睡眠準備状態か否かを判定する。睡眠準備状態判定部２７６は、判定結果を睡眠誘導機能制御部２７８に出力する。
【０１０５】  安静状態判定部２７７は、体動検知部２７４で算出された体動量に基づいて安静状態か否かを判定する。具体的には、ドップラーセンサによりユーザの存在が検出されている状態で、体動が一定時間検出されなかった場合に安静状態と判定する。なお、安静状態と判定する方法はこれに限られず他の手法を用いることも当然に可能である。
【０１０６】  睡眠誘導機能制御部２７８は、睡眠準備状態判定部２７６からの睡眠準備状態である旨の通知に従ってユーザに対して睡眠を誘導する所定の処理を実行する。
【０１０７】  音声認識部２８２は、マイク２８を介して入力されるユーザの音声入力を識別して、睡眠誘導機能制御部２７８に出力する。
【０１０８】  情報取得部２８４は、睡眠誘導機能制御部２７８の指示に従って通信装置２４を介して外部装置から情報を取得する。情報取得部２８４は、取得した情報をメモリ２３に格納する。
【０１０９】  ＜睡眠誘導機能＞
睡眠誘導機能は、ユーザを睡眠状態に誘導する機能である。例えば、音楽を再生してユーザをリラックスさせて睡眠状態に誘導したり、あるいは、呼吸法やリラックス運動を案内することにより睡眠状態に誘導する機能である。なお、当該睡眠誘導機能は、アラーム機能の処理と並列に実行される処理である。
【０１１０】  図９は、実施形態に基づく睡眠誘導機能の処理のフローを説明する図である。
図９に示されるように、ＣＰＵ２７は、睡眠誘導機能がＯＮか否かを判定する（ステップＳＴ５）。具体的には、睡眠誘導機能実行判定部２８０は、設定情報に睡眠誘導機能がＯＮの情報が含まれているか否かを判定する。
【０１１１】  ＣＰＵ２７は、ＳＴ５において、睡眠誘導機能がＯＮで無いと判定した場合（ステップＳＴ５においてＮＯ）には処理を終了する（エンド）。この場合には、睡眠誘導機能は実行されない。
【０１１２】  一方、ＣＰＵ２７は、ステップＳＴ５において、睡眠誘導機能がＯＮであると判定した場合（ステップＳＴ５においてＹＥＳ）には、睡眠誘導機能開始処理を実行する（ステップＳＴ６）。睡眠誘導機能実行判定部２８０は、設定情報に睡眠誘導機能がＯＮの情報が含まれていると判定した場合には、睡眠誘導機能制御部２７８に睡眠誘導機能開始処理を実行するように指示する。睡眠誘導機能開始処理の詳細については後述する。
【０１１３】  そして、処理を終了する（エンド）。
上記処理により、ユーザが睡眠誘導機能の停止を望む場合（睡眠誘導機能がＯＦＦ）には、睡眠誘導機能は実行されない。したがって、無駄な処理の実行を抑制するとともに、ユーザの意図を反映させることが可能である。
【０１１４】  ＜睡眠誘導機能開始処理＞
図１０は、実施形態に基づく睡眠誘導機能の開始処理のフローを説明する図である。
【０１１５】  図１０に示されるように、ＣＰＵ２７は、存在／不在確認を実行する（ステップＳ０）。具体的には、存在／不在判定部２７１は、ドップラーセンサ３０からの信号に基づいてユーザが所定領域に存在するか否かを判定し、判定結果を睡眠準備状態判定部２７６に出力する。
【０１１６】  次に、ＣＰＵ２７は、存在判定かどうかを判定する（ステップＳ２）。睡眠準備状態判定部２７６は、存在／不在判定部２７１から存在判定の判定結果の通知を受けたかどうかを判定する。
【０１１７】  次に、ＣＰＵ２７は、ステップＳ２において、存在判定であると判定した場合（ステップＳ２においてＹＥＳ）には、体動を検知する（ステップＳ４）。体動検知部２７４は、ドップラーセンサ３０からの信号に基づいてユーザの体動を検知する。体動検知部２７４は、検知結果を就寝状態判定部２７３に出力する。
【０１１８】  次に、ＣＰＵ２７は、就寝状態を確認する（ステップＳ６）。就寝状態判定部２７３は、体動検知部２７４の体動量の検知結果に基づいて就寝状態か否かを判定し、判定結果を睡眠準備状態判定部２７６に出力する。
【０１１９】  次に、ＣＰＵ２７は、就寝状態か否かを判定する（ステップＳ８）。睡眠準備状態判定部２７６は、就寝状態判定部２７３から就寝状態の判定結果の通知を受けたかどうかを判定する。
【０１２０】  次に、ＣＰＵ２７は、就寝状態と判定した場合（ステップＳ８においてＹＥＳ）には、睡眠準備状態と判定する（ステップＳ１０）。睡眠準備状態判定部２７６は、判定結果が睡眠準備状態であるとして睡眠誘導機能制御部２７８に通知する。睡眠準備状態判定部２７６は、存在／不在判定部２７１からの判定結果としてユーザが存在することが検出され、かつ、就寝状態判定部２７３から就寝状態と判定されると、睡眠準備状態であると判定する。
【０１２１】  なお、本例においては、睡眠準備状態判定部２７６は、存在／不在判定部２７１からの判定結果としてユーザが存在することが検出され、かつ、就寝状態判定部２７３から就寝状態と判定されると、睡眠準備状態であると判定する場合について説明するが、存在／不在判定部２７１からの判定結果としてユーザが存在することが検出された場合に、睡眠準備状態であると判定しても良いし、あるいは、就寝状態判定部２７３から就寝状態と判定されると、睡眠準備状態であると判定しても良い。
【０１２２】  そして、ＣＰＵ２７は、処理を実行する（ステップＳ１２）。睡眠誘導機能制御部２７８は、睡眠を誘導する機能として所定の処理を実行する。
【０１２３】  そして、処理を終了する（リターン）。
一方、ステップＳ２において、ＣＰＵ２７は、存在判定でないと判定した場合（ステップＳ６においてＮＯ）には、ステップＳ０に戻り上記処理を繰り返す。
【０１２４】  一方、ステップＳ８において、ＣＰＵ２７は、就寝状態でないと判定した場合（ステップＳ８においてＮＯ）には、ステップＳ０に戻り上記処理を繰り返す。
【０１２５】  図１１は、実施形態に基づく別の睡眠誘導機能の開始処理のフローを説明する図である。
【０１２６】  図１１に示されるように、図１０の処理と比較して、ステップＳ３およびステップＳ３Ａを追加した点が異なる。
【０１２７】  具体的には、ＣＰＵ２７は、ステップＳ２において、存在判定であると判定した場合（ステップＳ２においてＹＥＳ）には、環境情報を取得する（ステップＳ３）。具体的には、照度センサ２６により周辺の環境情報として部屋の照度値を検出する。照度センサ２６は、部屋の照度値を睡眠準備状態判定部２７６に出力する。
【０１２８】  ＣＰＵ２７は、環境条件が成立したか否かを判定する（ステップＳ３Ａ）。睡眠準備状態判定部２７６は、照度センサ２６から出力された照度値が所定の照度値以下か否かを判定する。
【０１２９】  ステップＳ１６において、ＣＰＵ２７は、環境条件が成立したと判定した場合（ステップＳ３ＡにおいてＹＥＳ）には、体動を検知する（ステップＳ４）。体動検知部２７４は、ドップラーセンサ３０からの信号に基づいてユーザの体動を検知する。体動検知部２７４は、検知結果を就寝状態判定部２７３に出力する。
【０１３０】  次に、ＣＰＵ２７は、就寝状態を確認する（ステップＳ６）。就寝状態判定部２７３は、体動検知部２７４の体動量の検知結果に基づいて就寝状態か否かを判定し、判定結果を睡眠準備状態判定部２７６に出力する。
【０１３１】  次に、ＣＰＵ２７は、就寝状態か否かを判定する（ステップＳ８）。睡眠準備状態判定部２７６は、就寝状態判定部２７３から就寝状態の判定結果の通知を受けたかどうかを判定する。
【０１３２】  次に、ＣＰＵ２７は、就寝状態と判定した場合（ステップＳ８においてＹＥＳ）には、睡眠準備状態と判定する（ステップＳ１０）。睡眠準備状態判定部２７６は、判定結果が睡眠準備状態であるとして睡眠誘導機能制御部２７８に通知する。
【０１３３】  そして、ＣＰＵ２７は、処理を実行する（ステップＳ１２）。睡眠誘導機能制御部２７８は、睡眠を誘導する機能として所定の処理を実行する。
【０１３４】  そして、処理を終了する（リターン）。
一方、ステップＳ２において、ＣＰＵ２７は、存在判定でないと判定した場合（ステップＳ６においてＮＯ）には、ステップＳ０に戻り上記処理を繰り返す。
【０１３５】  一方、ステップＳ８において、ＣＰＵ２７は、就寝状態でないと判定した場合（ステップＳ８においてＮＯ）には、ステップＳ０に戻り上記処理を繰り返す。
【０１３６】  一方、ステップＳ３Ａにおいて、ＣＰＵ２７は、環境条件が成立しないと判定した場合（ステップＳ３ＡにおいてＮＯ）には、ステップＳ０に戻り上記処理を繰り返す。
【０１３７】  ＜実行処理＞
図１２は、実施形態に基づく睡眠誘導機能の実行処理のフローを説明する図である。
【０１３８】  図１２に示されるように、ＣＰＵ２７は、お知らせ機能がＯＮか否かを判定する（ステップＳ２０）。
【０１３９】  ＣＰＵ２７は、お知らせ機能がＯＮであると判定した場合（ステップＳ２０においてＹＥＳ）には、情報を出力する処理を実行する（ステップＳ２２）。
【０１４０】  具体的には、睡眠誘導機能制御部２７８は、メモリ２３に格納されている情報に基づいて設定情報に含まれるアラーム機能の起床設定時刻をスピーカ２２を介して通知する。
【０１４１】  例えば、「明日の起床設定時刻は７：００です」との情報を通知する。また、明日（翌日）あるいは時刻が午前０時を超えた場合には明朝（翌朝）の天気、気温の情報を通知しても良い。例えば、睡眠誘導機能制御部２７８は、情報取得部２８４に指示して、通信装置２４を介してネットワークと接続された外部装置と通信することにより、天気や気温の情報を取得してスピーカ２２を介して通知する。あるいは、情報取得部２８４は、予め当該情報を取得して、メモリ２３に格納されている情報を用いてもよい。なお、一例として情報として天気、気温の情報を出力する場合について説明したが、天気、気温の情報に限られず最新のニュースや、交通情報、メモ等、ユーザの利便性に供する情報であればどのような情報でも良い。
【０１４２】  なお、お知らせ機能は、例えば、音楽を再生させながら明日あるいは明朝の情報を出力するようにしても良い。そして、明日あるいは明朝の情報の出力の終了に従い音楽の再生を停止させてもよく、ユーザに対するリラックス効果を高めつつ、睡眠を促すことが可能である。
【０１４３】  また、睡眠誘導機能制御部２７８は、お知らせ機能による情報出力処理の結果、ユーザの指示に従って起床設定時刻を編集することが可能である。具体的には、音声認識部２８２は、マイク２８を介してユーザの音声入力を識別して、睡眠誘導機能制御部２７８に出力する。例えば、ユーザが「アラームを８時に変更してください」というと、睡眠誘導機能制御部２７８は、ユーザの音声入力が起床設定時刻の変更であると判断した場合には、起床設定時刻を８時に変更する。
【０１４４】  次に、ＣＰＵ２７は、音楽再生機能がＯＮか否かを判定する（ステップＳ２４）。具体的には、睡眠誘導機能制御部２７８は、設定情報に含まれる音楽再生機能がオンの情報が含まれているか否かを判定する。
【０１４５】  次に、ＣＰＵ２７は、音楽再生機能がＯＮであると判定した場合（ステップＳ２４においてＹＥＳ）には、音楽再生処理を実行する（ステップＳ２６）。音楽再生処理の詳細については後述する。
【０１４６】  そして、処理を終了する（リターン）。
一方、ステップＳ２４において、音楽再生機能がＯＮでないと判定した場合（ステップＳ２４においてＮＯ）には、リラックス運動案内機能がＯＮか否かを判定する（ステップＳ２８）。睡眠誘導機能制御部２７８は、設定情報に含まれるリラックス運動案内機能がオンの情報が含まれているか否かを判定する。
【０１４７】  ＣＰＵ２７は、音楽再生機能がＯＮであると判定した場合（ステップＳ２８においてＹＥＳ）には、リラックス運動案内再生処理を実行する（ステップＳ３０）。リラックス運動案内再生処理の詳細については後述する。
【０１４８】  そして、処理を終了する（リターン）。
ステップＳ２８において、ＣＰＵ２７は、リラックス運動案内機能がＯＮでないと判定した場合（ステップＳ２８においてＮＯ）には、処理を終了する（リターン）。
【０１４９】  なお、本例においては、音楽再生機能およびリラックス運動案内機能のいずれか一方が実行される場合について説明しているが、音楽再生機能もＯＮし、リラックス運動案内機能もＯＮに設定することにより音楽再生処理およびリラックス運動機能案内再生処理が並列に実行されるようにしても良い。
【０１５０】  図１３は、実施形態に基づく音楽再生処理のフローを説明する図である。
図１３に示されるように、ＣＰＵ２７は、再生処理を開始する（ステップＳ４０）。睡眠誘導機能制御部２７８は、メモリ２３に格納されている音楽ファイルを再生してスピーカ２２から出力する。
【０１５１】  次に、ＣＰＵ２７は、安静状態を確認する（ステップＳ４２）。安静状態判定部２７７は、体動検知部２７４で算出された体動量に基づいて安静状態か否かを判定する。
【０１５２】  次に、ＣＰＵ２７は、安静状態か否かを判定する（ステップＳ４４）。睡眠誘導機能制御部２７８は、安静状態判定部２７７の判定結果が安静状態か否かを判定する。
【０１５３】  次に、ＣＰＵ２７は、安静状態であると判定した場合（ステップＳ４４においてＹＥＳ）には、音量調整処理を実行する（ステップＳ４６）。睡眠誘導機能制御部２７８は、安静状態判定部２７７の判定結果が安静状態であると判定した場合には、スピーカ２２を介して出力する音楽再生のボリュームの音量を下げる処理を実行する。
【０１５４】  なお、本例においては、睡眠誘導機能制御部２７８は、音量を下げる処理を実行する場合について説明するが、特にこれに限られず、例えば、高周波成分のカットフィルタの機能を用いて高周波成分を低減した再生処理を実行するようにしても良い。また、音量を下げる処理と高周波成分のカットフィルタを組み合わせても良い。あるいは、ピッチを調整する処理を実行するようにしても良い。また、音源に合わせて高周波成分のカットフィルタの種類を調整するようにしても良い。例えばボーカルの声がある音源と、ボーカルの声が無い音源とで高周波成分のカットフィルタの種類を調整しても良い。
【０１５５】  また、睡眠誘導機能制御部２７８は、安静状態判定部２７７の判定結果の安静状態の継続時間や安静状態の程度を表すパラメータに従って、リアルタイムにスピーカ２２を介して出力する音楽再生のボリュームの音量あるいは、高周波成分のカットフィルタの強弱を変化させるようにしてもよい。
【０１５６】  音量調整処理を実行することによりユーザの状態に従ってユーザを睡眠状態への移行を促進することが可能である。
【０１５７】  次に、ＣＰＵ２７は、睡眠状態を確認する（ステップＳ４８）。睡眠状態判定部２７２は、ドップラーセンサ３０の検出信号に基づいてユーザが睡眠状態か否かを判定する。
【０１５８】  次に、ＣＰＵ２７は、睡眠状態か否かを判定する（ステップＳ５０）。睡眠誘導機能制御部２７８は、睡眠状態判定部２７２から出力される判定結果が睡眠状態か否かを判定する。例えば、ユーザの睡眠状態として、覚醒状態以外の状態、深い睡眠状態、浅い睡眠状態、レム睡眠状態であれば睡眠状態と判定する。
【０１５９】  ステップＳ５０において、ＣＰＵ２７は、睡眠状態であると判定した場合（ステップＳ５０においてＹＥＳ）には、再生処理を停止する（ステップＳ５２）。睡眠誘導機能制御部２７８は、メモリ２３に格納されている音楽ファイルの再生処理を停止する。
【０１６０】  なお、睡眠誘導機能制御部２７８は、睡眠状態であると判定した場合に、即座に再生処理を停止するのではなく、段階的に再生処理を停止するようにしても良い。例えば、睡眠状態の判定の確からしさに応じて段階的に音量を変化させてもよいし、音量が低下している状態で体動を検知したり、覚醒状態と判定されたりした場合は元の音量に戻すようにしても良い。当該処理により、音楽ファイルの再生処理が誤判定によって停止することを防止することも可能である。
【０１６１】  そして、処理を終了する（リターン）。
一方、ステップＳ５０において、ＣＰＵ２７は、睡眠状態でないと判定した場合（ステップＳ５０においてＮＯ）には、ステップＳ４０に戻る。
【０１６２】  また、ステップＳ４４において、ＣＰＵ２７は、安静状態でないと判定した場合（ステップＳ４４においてＮＯ）には、ステップＳ４６をスキップしてステップＳ４８に進む。
【０１６３】  ユーザの睡眠状態を確認した場合には、睡眠誘導機能を停止することによりユーザの睡眠状態を安定させることが可能である。
【０１６４】  リラックス運動案内再生処理についても音楽再生処理と基本的に同様である。
具体的には、ＣＰＵ２７は、再生処理を開始する。睡眠誘導機能制御部２７８は、メモリ２３に格納されているリラックス運動案内ファイルを再生してスピーカ２２およびディスプレイ２１から出力する。
【０１６５】  図１４は、実施形態に基づくリラックス運動案内再生処理の概要を説明する図である。
図１４に示されるように、ディスプレイ２１には、身体をリラックスするための運動案内画像Ｐ００１が表示される。ユーザは、当該運動案内画像Ｐ００１に従いながら身体をリラックスさせるストレッチ運動を行うことが可能である。上記運動案内画像の表示ともにユーザをリラックスさせるための音楽を再生するようにしてもよい。
【０１６６】  なお、本例においては、ストレッチ運動を行うように促す場合について説明するが、リラックスさせるためであるならばどのようなものでもよく、例えば、ユーザに呼吸法により深呼吸を促す動作を実行するように案内画像を表示し、音楽を再生することも可能である。
【０１６７】  本例においては、睡眠誘導機能制御部２７８は、メモリ２３に格納されているリラックス運動案内ファイルを再生して睡眠アラーム装置２のスピーカ２２およびディスプレイ２１から再生出力する場合について説明するが、特にこれに限られず他のデバイスを用いても良い。具体的には、睡眠誘導機能制御部２７８は、通信装置２４を介して端末８にデータを送信し、端末８のディスプレイ８２やスピーカ（図示せず）を用いてリラックス運動案内ファイルを再生出力するようにしても良い。上記の音楽再生機能についても同様である。
【０１６８】  図１３のフロー図で説明したように、ＣＰＵ２７は、安静状態か否かを判定し、安静状態であると判定した場合には、音量調整処理を実行する。睡眠誘導機能制御部２７８は、安静状態判定部２７７の判定結果が安静状態であると判定した場合には、スピーカ２２を介して出力する音楽再生のボリュームの音量を下げる処理を実行する。なお、本例においては、睡眠誘導機能制御部２７８は、音量を下げる処理を実行する場合について説明するが、特にこれに限られず、例えば、高周波成分のカットフィルタの機能を用いて高周波成分を低減した再生処理を実行するようにしても良い。また、音量を下げる処理と高周波成分のカットフィルタを組み合わせても良い。あるいは、ピッチを調整する処理を実行するようにしても良い。また、音源に合わせて高周波成分のカットフィルタの種類を調整するようにしても良い。例えばボーカルの声がある音源と、ボーカルの声が無い音源とで高周波成分のカットフィルタの種類を調整しても良い。
【０１６９】  また、睡眠誘導機能制御部２７８は、安静状態判定部２７７の判定結果の安静状態の継続時間や安静状態の程度を表すパラメータに従って、リアルタイムにスピーカ２２を介して出力する音楽再生のボリュームの音量あるいは、高周波成分のカットフィルタの強弱を変化させるようにしてもよい。
【０１７０】  また、睡眠誘導機能制御部２７８は、安静状態判定部２７７の判定結果の安静状態の継続時間や安静状態の程度を表すパラメータあるいは、ユーザの呼吸状態の検知に従って、ストレッチ運動で静止状態となったことに応じて案内画像あるいは音声情報を変化させたり、呼吸法の仕方をインタラクティブにサポートするようにしても良い。
【０１７１】  音量調整処理を実行することによりユーザの状態に従ってユーザを睡眠状態への移行を促進することが可能である。
【０１７２】  そして、ＣＰＵ２７は、睡眠状態か否かを判定し、睡眠状態であると判定した場合には、再生処理を停止する。睡眠誘導機能制御部２７８は、メモリ２３に格納されているリラックス運動案内ファイルの再生処理を停止する。
【０１７３】  ユーザの睡眠状態を確認した場合には、睡眠誘導機能を停止することによりユーザの睡眠状態を安定させることが可能である。
【０１７４】  また、本実施形態におけるプログラムとして、パーソナルコンピュータで実行可能なアプリケーションを提供してもよい。このとき、本実施の形態に係るプログラムは、パーソナルコンピュータ上で実行される各種アプリケーションの一部の機能として組み込まれてもよい。
【０１７５】  今回開示された実施の形態はすべての点で例示であって制限的なものではないと考えられるべきである。本発明の範囲は、上記した説明ではなく、請求の範囲によって示され、請求の範囲と均等の意味および範囲内でのすべての変更が含まれることが意図される。
【符号の説明】
【０１７６】  １  睡眠管理システム、２  睡眠アラーム装置、４  ネットワーク、６  サーバ、８  端末、２０  時計、２１，８２  ディスプレイ、２２  スピーカ、２３，６２，８６  メモリ、２４，６４，８４  通信装置、２６  照度センサ、２８  マイク、２９，８８  入力装置、３０  ドップラーセンサ、３２，６６，８９  内部バス、２００  アラーム設定画面、２７１  不在判定部、２７２  睡眠状態判定部、２７３  就寝状態判定部、２７４  体動検知部、２７５  表示制御部、２７６  睡眠準備状態判定部、２７７  安静状態判定部、２７８  睡眠誘導機能制御部、２８０  睡眠誘導機能実行判定部、２８２  音声認識部、２８４  情報取得部、２８６  報知制御部。
【図１】
2020136590.tif 000003
【図２】
2020136590.tif 000004
【図３】
2020136590.tif 000005
【図４】
2020136590.tif 000006
【図５】
2020136590.tif 000007
【図６】
2020136590.tif 000008
【図７】
2020136590.tif 000009
【図８】
2020136590.tif 000010
【図９】
2020136590.tif 000011
【図１０】
2020136590.tif 000012
【図１１】
2020136590.tif 000013
【図１２】
2020136590.tif 000014
【図１３】
2020136590.tif 000015
【図１４】
2020136590.tif 000016
【国際調査報告】
2020136590.tif 000017
2020136590.tif 000018
2020136590.tif 000019
2020136590.tif 000020